(57)【要約】【課題】野球用スパイクシューズのソール構造において、野球の打撃動作時に打者の足に対して最適なトラクションを発揮できるようにする。【解決手段】アウトソール２下面において、第２の基節骨ＰＰ２および中足骨ＭＴ２と第３ないし第５の趾骨および中足骨ＭＴ３〜５とを含む前足部Ｆの外甲側に位置する外甲側領域Ｘには、高トラクションスタッド１０ｆと、高トラクションスタッド１０ｆの周囲に配置された低トラクションスタッド２０，２０，…（２１ｆ，２１ｇ，２５）と、が配設されている。高および低トラクションスタッド１０，２０，…の各々は、打撃動作のフォロースルー時に外甲側領域に生じる剪断応力Ｓの向きとなる応力方向に沿った方向の長さが該応力方向と直交する方向の長さよりも長くなるように構成されている【選択図】図２
2018068944.tif 000002
【特許請求の範囲】
【請求項１】
着用者の足の前足部から後足部に亘る足裏面を支持するアウトソールを備え、着用者が野球の打撃動作を行うときに用いられる野球用スパイクシューズのソール構造であって、
前記アウトソールの下面において、足の第２の基節骨および中足骨と第３ないし第５の趾骨および中足骨とを含む前足部の外甲側に位置する外甲側領域には、下方に向かって突出した複数のスタッドが該外甲側領域で分散した状態で設けられており、
前記複数のスタッドは、
高いトラクション性を有する高トラクションスタッドと、
前記高トラクションスタッドの周囲に配置され、該高トラクションスタッドよりも低いトラクション性を有する少なくとも１つの低トラクションスタッドと、を有し、
前記高および低トラクションスタッドの各々は、打撃動作のフォロースルー時に前記外甲側領域に生じる剪断応力の向きとなる応力方向に沿った方向の長さが該応力方向と直交する方向の長さよりも長くなるように構成されている、ソール構造。
【請求項２】
請求項１に記載のソール構造において、
前記低トラクションスタッドは、前記高トラクションスタッドの前側および後側の少なくとも一方に該高トラクションスタッドと間隔をあけて配置された第１低トラクションスタッドを含む、ソール構造。
【請求項３】
請求項２に記載のソール構造において、
前記第１低トラクションスタッドは、前記高トラクションスタッドの前側および後側のそれぞれに配置されている、ソール構造。
【請求項４】
請求項２または３に記載のソール構造において、
前記第１低トラクションスタッドは熱可塑性ポリウレタンからなる、ソール構造。
【請求項５】
請求項１〜４のいずれか１項に記載のソール構造において、
前記低トラクションスタッドは、前記高トラクションスタッドの内甲側に該高トラクションスタッドと間隔をあけて配置された第２低トラクションスタッドを含む、ソール構造。
【請求項６】
請求項１〜５のいずれか１項に記載のソール構造を備えた、野球用スパイクシューズ。
【発明の詳細な説明】
【技術分野】
【０００１】
本発明は、ソール構造およびそれを用いた野球用スパイクシューズに関し、さらに詳しくは野球の打撃動作に適した野球用スパイクシューズのソール構造およびそれを用いた野球用スパイクシューズに関するものである。
【背景技術】
【０００２】
従来、野球用スパイクシューズ用のソール構造として、例えば特許文献１のようなソール構造が提案されている。
【０００３】
特許文献１には、アウトソール裏面に爪先部突片、母趾球部突片、踏み付け部突片、子趾球部突片、踵内甲側突片、踵前方部突片、踵後端部突片、および踵外甲側突片が設けられた野球用スパイクシューズのソール構造が開示されている。このソール構造では、野球競技におけるバッティング、スローイング、フィールディング、およびランニングといった様々な動作に対して優れた防滑性（いわゆるトラクション性）を発揮させるために、各突片の位置および向きが定められている。
【先行技術文献】
【特許文献】
【０００４】
【特許文献１】特開平０９−１７３１０４号公報
【発明の概要】
【発明が解決しようとする課題】
【０００５】
ところで、一般的に、野球の打撃動作において、例えば右打席に立った打者が左足を地面に踏み出してスイングし、バットにボールが当たった状態（いわゆるインパクト）から打者がそのままバットを振り抜くまでの動作（いわゆるフォロースルー）のときに、地面に踏み出した打者の左足（以下「踏み出し足」という）における前足部の外甲側に対して大きな衝撃が生じることが様々の研究結果により明らかにされている。そして、インパクト後に踏み出し足から伝わる上記衝撃を抑制することにより、打者の踏み出し足の踵部を回転中心として足の外甲側に向かって回転する動作（以下「回転動作」という）が阻害されないようにして、打者がバットを十分に振り切ることができるようにすることが望まれている。
【０００６】
しかしながら、特許文献１のソール構造では、野球競技の様々な動作において打者の足に対するトラクションが最大化されるように各突片の位置および向きが定められている。このため、打者の足に対するトラクションが効きすぎる反面、インパクト後に踏み出し足が地面に必要以上に引っかかって上記衝撃が踏み出し足に伝わるようになっていた。その結果、上記衝撃が踏み出し足に対する負荷となり、フォロースルー時に踏み出し足の回転動作を妨げる要因になっていた。
【０００７】
このように、特許文献１のソール構造では、野球競技における全ての動作を対象にトラクションが最大になるように各突片の位置および向きが定められている結果、特に打撃動作のフォロースルー時に上記踏み出し足の回転動作が阻害されて打者がバットを十分に振り切ることができないという問題があった。すなわち、特許文献１のソール構造では、野球の打撃動作において打者の足に対し必ずしも最適なトラクションが発揮できるように構成されたものではなかった。
【０００８】
本発明は斯かる点に鑑みてなされたものであり、その目的は、野球の打撃動作時に打者の足に対して最適なトラクションを発揮できるようにすることにある。
【課題を解決するための手段】
【０００９】
上記の目的を達成するために、本発明に係るソール構造およびそれを用いた野球用スパイクシューズでは、アウトソールに設けられるスタッドの配置、材料、および形状に工夫を加えることにより、野球の打撃動作時に最適なトラクションを発揮できるようにした。
【００１０】
具体的に、本発明の第１の形態はソール構造に係るものであり、このソール構造は、着用者の足の前足部から後足部に亘る足裏面を支持するアウトソールを備え、着用者が野球の打撃動作を行うときに用いられる野球用スパイクシューズのソール構造である。アウトソールの下面において、足の第２の基節骨および中足骨と第３ないし第５の趾骨および中足骨とを含む前足部の外甲側に位置する外甲側領域には、下方に向かって突出した複数のスタッドが該外甲側領域で分散した状態で設けられている。複数のスタッドは、高いトラクション性を有する高トラクションスタッドと、高トラクションスタッドの周囲に配置され、高トラクションスタッドよりも低いトラクション性を有する少なくとも１つの低トラクションスタッドと、を有している。そして、高および低トラクションスタッドの各々は、打撃動作のフォロースルー時に外甲側領域に生じる剪断応力の向きとなる応力方向に沿った方向の長さが該応力方向と直交する方向の長さよりも長くなるように構成されていることを特徴とする。
【００１１】
第１の形態では、外甲側領域に配置された高および低トラクションスタッドの各々が打撃動作のフォロースルー時に外甲側領域に生じる剪断応力の向きとなる応力方向に沿った方向の長さが応力方向と直交する方向の長さよりも長くなるように構成されている。言い換えると、第１の形態では、各トラクションスタッドの向きを、打撃動作のフォロースルー時に外甲側領域に生じる剪断応力の向きに逆らわないようにするために、上記応力方向に沿うように構成したものである。このため、第１の形態では、インパクト後に打者の踏み出し足が地面に必要以上に引っかからず、フォロースルー時に打者の踏み出し足の回転動作が阻害されないようになっている。すなわち、第１の形態では、打者の踏み出し足における前足部の外甲側に上記衝撃が生じにくいため、フォロースルー時に踏み出し足の回転動作がスムーズに行われる。その結果、打者がバットを十分に振り切ることが可能となる。さらに、高および低トラクションスタッドからなる複数のスタッドが外甲側領域に配置されているため、外甲側領域において所定のトラクション性が担保されている。したがって、第１の形態では、野球の打撃動作時に打者の足に対して最適なトラクションを発揮することができる。
【００１２】
第２の形態は、第１の形態において、低トラクションスタッドは、高トラクションスタッドの前側および後側の少なくとも一方に該高トラクションスタッドと間隔をあけて配置された第１低トラクションスタッドを含むことを特徴とする。
【００１３】
この第２の形態では、第１低トラクションスタッドが高トラクションスタッドの前側および後側の少なくとも一方に該高トラクションスタッドと間隔をあけて配置されているため、高トラクションスタッドとともに外甲側領域の前後方向におけるトラクション性のバランスを保つことができる。
【００１４】
第３の形態は、第２の形態において、第１低トラクションスタッドは、高トラクションスタッドの前側および後側のそれぞれに配置されていることを特徴とする。
【００１５】
第３の形態では、外甲側領域内の第１低トラクションスタッドが高トラクションスタッドの前側および後側のそれぞれに配置されているため、高トラクションスタッドとともに外甲側領域の前後方向におけるトラクション性のバランスをより一層保つことができる。
【００１６】
第４の形態は、第２または第３の形態において、第１低トラクションスタッドは熱可塑性ポリウレタンからなることを特徴とする。
【００１７】
第４の形態では、熱可塑性ポリウレタンが有する高い耐摩耗性により第１低トラクションスタッドの経年劣化を抑制することができる。
【００１８】
第５の形態は、第１〜第４のいずれか１つの形態において、低トラクションスタッドは、高トラクションスタッドの内甲側に該高トラクションスタッドと間隔をあけて配置された第２低トラクションスタッドを含むことを特徴とする。
【００１９】
第５の形態では、第２低トラクションスタッドにより、外甲側領域内で高トラクションスタッドとともに適度なトラクション性を発揮しつつ、外甲側領域の足幅方向で部分的に足が落ち込まないようにしてソール構造における足裏面の偏りをなくすことができる。
【００２０】
第６の形態は、第１〜第５の形態のいずれか１つのソール構造を備える、野球用スパイクシューズである。
【００２１】
この第６の形態では、上記第１〜第５の形態と同様の作用効果を奏する野球用スパイクシューズを得ることができる。
【発明の効果】
【００２２】
以上説明したように、本発明によると、打撃動作のフォロースルー時に踏み出し足の回転動作がスムーズに行われて打者がバットを十分に振り切ることが可能になるとともに、高および低トラクションスタッドにより外甲側領域で所定のトラクション性が担保されていることから、特に野球の打撃動作時に打者の足に対して最適なトラクションを発揮することができる。
【図面の簡単な説明】
【００２３】
【図１】図１は、本発明の実施形態に係るソール構造の平面図である。
【図２】図２は、ソール構造を下側から見て示す全体斜視図である。
【図３】図３は、ソール構造の底面図である。
【図４】図４は、ソール構造に人体の足の構造を重ねた状態を底面側から見て示す底面図である。
【図５】図５は、図３のV−V線断面図である。
【図６】図６は、右打者の打撃動作中の足圧分布と剪断応力の向きを示す剪断応力分布図である。
【図７】図７は、図３の外甲側領域Ｘを拡大して示す部分拡大図である。
【発明を実施するための形態】
【００２４】
以下、本発明の実施形態を図面に基づいて詳細に説明する。以下の実施形態の説明は、本質的に例示に過ぎず、本発明、その適用物或いはその用途を制限することを意図するものではない。
【００２５】
図１〜図３は、本発明の実施形態に係るソール構造１の全体を示しており、ソール構造１は、着用者（野球競技における打者）の足裏面を支持するものである。このソール構造１にアッパー（図示せず）などが設けられたシューズは、主に野球の打撃動作に適した野球スパイクシューズとして使用される。
【００２６】
ここで、ソール構造１は、左足用シューズのソール構造のみを例示している。右足用シューズのソール構造は、左足用シューズのものと左右対称になるように構成されているので、以下の説明では左足用シューズのソール構造のみについて説明し、右足用シューズのソール構造の説明は省略する。また、以下の説明において、上方（上側）および下方（下側）とはソール構造の上下方向の位置関係を表し、前方（前側）および後方（後側）とはソール構造の前後方向の位置関係を表し、内甲側および外甲側とはソール構造の足幅方向の位置関係を表すものとする。
【００２７】
図１〜図４に示すように、ソール構造１は、前足部Ｆから後足部Ｈに亘る足裏面全体を支持するアウトソール２を備えている。このアウトソール２は、例えばポリアミド系樹脂（ナイロン（登録商標））などの熱可塑性樹脂、ポリウレタン（ＰＵ）、ナイロン系エラストマーなどの樹脂材、または、合成ゴム、天然ゴム等のゴム材からなり、薄肉のプレート状に形成されている。
【００２８】
また、アウトソール２の下面には、下方に突出した補強リブ３が足幅方向の略中央の位置にアウトソール２と一体に形成されている。この補強リブ３は、前足部Ｆの後部から後足部Ｈに亘って延びている。この補強リブ３により、アウトソール２における前足部Ｆの後部から後足部Ｈまでの曲げ剛性が高められている。
【００２９】
アウトソール２の下面には、下方に向かって突出した複数の台座部１２，２３，…がアウトソール２と一体に形成されている。各台座部１２は、後述する高トラクションスタッド１０ａ〜１０ｆのそれぞれを固着するためのものであり、底面視で略三角形状に形成されている。各台座部２３は、後述する第１低トラクションスタッド２１ａ〜２１ｇのそれぞれを固着するためのものであり、底面視で略三角形状に形成されている。また、図５に示すように、各台座部２３には、台座部２３の下面から上方に向かって凹陥した凹溝部２４，２４が形成されている。
【００３０】
次に、図１および図２に示すように、ソール構造１は、前足部Ｆの前後方向略中央の位置から後足部Ｈまでの足裏面を支持するミッドソール４を備えている。このミッドソール４は、軟質の弾性材からなり、例えばエチレン−酢酸ビニル共重合体（ＥＶＡ）等の熱可塑性合成樹脂やその発泡体、ポリウレタン（ＰＵ）等の熱硬化性樹脂やその発泡体、ブタジエンラバーやクロロプレンラバー等のラバー素材やその発泡体などが適している。なお、アウトソール２およびミッドソール４の周縁部には、使用者の足を覆うアッパー（図示せず）が設けられている。
【００３１】
次に、図１〜図４に示すように、アウトソール２の下面には、下方に向かって突出した複数のスタッドが分散した状態で設けられている。複数のスタッドは、高いトラクション性（防滑性）を有する高トラクションスタッド１０ａ〜１０ｆと、高トラクションスタッド１０ａ〜１０ｆの各々の周囲に配置され、高トラクションスタッド１０ａ〜１０ｆよりも低いトラクション性を有する低トラクションスタッド２０，２０，…と、を有している。
【００３２】
高トラクションスタッド１０ａ〜１０ｆの各々は、例えば鉄鋼材、アルミニウム合金、チタニウム合金等の比較的軽量で耐摩耗性および高靭性を有する金属材やセラミックス等からなる。また、高トラクションスタッド１０ａ〜１０ｆの各々は、アウトソール２の下面から下方に向かって突出した板状に形成されている。
【００３３】
具体的に、図５に示すように、高トラクションスタッド１０ａ〜１０ｆの各々は、断面視で略Ｌ字状に形成されており、互いに直交する板状の平板部１１，１１を有している。また、アウトソール２の各台座部１２の内部には、アウトソール２よりも硬度の高い材料からなる保持部１３が埋設されている。なお、本実施形態では、アウトソール２のショアＤ硬度が６３Ｄであり、保持部１３のショアＤ硬度が６９Ｄである。そして、高トラクションスタッド１０ａ〜１０ｆの各々は、一方の平板部１１が保持部１３および台座部１２に保持され、かつ他方の平板部１１が保持部１３および台座部１２から下方に向かって突出した状態になるようにアウトソール２に固着されている。
【００３４】
ここで、高トラクションスタッド１０ａ〜１０ｃの各々は、打者がバットを振り始めてからバットにボールが当たる瞬間までの動作（いわゆるスイング動作）において、地面に対する打者の両足のグリップ力が高まるようにそれぞれの向きが定められている。そして、図４に示すように、高トラクションスタッド１０ａは、足の第２末節骨ＤＰ２に対応する位置に配置されている。高トラクションスタッド１０ｂは、足の第１基節骨ＰＰ１に対応する位置に配置されている。高トラクションスタッド１０ｃは、足の第１中足骨ＭＴ１の後部に対応する位置に配置されている。
【００３５】
また、高トラクションスタッド１０ｄおよび１０ｅの各々は、地面に対する打者の踏み出し足（右打者の場合は左足）のグリップ力が高められるようにそれぞれの向きが定められている。そして、図４に示すように、高トラクションスタッド１０ｄは、足の踵骨ＨＬの内甲側に対応する位置に配置されている一方、高トラクションスタッド１０ｅは、足の踵骨ＨＬの外甲側に対応する位置に配置されている。なお、高トラクションスタッド１０ｆの配置については後述する。
【００３６】
次に、図２〜図４に示すように、低トラクションスタッド２０，２０，…の一部は、第１低トラクションスタッド２１ａ〜２１ｇから構成されている。第１低トラクションスタッド２１ａ〜２１ｇの各々は、例えば熱可塑性ポリウレタンのような耐摩耗性の高い樹脂材からなる。また、第１低トラクションスタッド２１ａ〜２１ｇの各々は、底面視で下面の外形が略三角形状に形成され、かつ断面視で上下方向略中央部から下端部に向かって先細るように形成されている（図５参照）。特に、第１低トラクションスタッド２１ｆおよび２１ｇは、底面視で下面の外形が略二等辺三角形になるように形成されている。
【００３７】
ここで、図５に示すように、第１低トラクションスタッド２１ｆおよび２１ｇの各々の上部には、断面視で上方に向かって突出した突出部２２，２２が形成されている。そして、第１低トラクションスタッド２１ｆおよび２１ｇの各々は、各突出部２２が各台座部２３の凹溝部２４，２４のそれぞれに嵌合した状態で各台座部２３に固着され、かつ上下方向略中央部から下端部に亘る部分が各台座部２３から下方に向かって突出するように構成されている。なお、第１低トラクションスタッド２１ａ〜２１ｅについても、第１低トラクションスタッド２１ｆおよび２１ｇと同様に構成されている。
【００３８】
そして、図２〜図４に示すように、第１低トラクションスタッド２１ａは、外甲側領域Ｘに配置された第１低トラクションスタッド２１ｆおよび２１ｇに対して、足幅方向における地面からの高さのバランスを保つために設けられている。具体的に、第１低トラクションスタッド２１ａは、足の第１中足骨ＭＴ１の前部に対応する位置に配置されている。
【００３９】
第１低トラクションスタッド２１ｂ〜２１ｅの各々は、中足部Ｍから後足部Ｈまでの範囲において、足幅方向における地面からの高さのバランスを保つために設けられている。また、第１低トラクションスタッド２１ｂ〜２１ｅの各々は、その下面（すなわち接地面）の面積が第１低トラクションスタッド２１ｆおよび２１ｇの各々における下面の面積よりも大きくなるように形成されている。
【００４０】
図４に示すように、第１低トラクションスタッド２１ｂは、足の舟状骨ＮＢに対応する位置に配置されている。第１低トラクションスタッド２１ｃは、足の踵骨ＨＬ後部の内甲側に対応する位置に配置されている。第１低トラクションスタッド２１ｄは、足の踵骨ＨＬ後部の外甲側に対応する位置に配置されている。第１低トラクションスタッド２１ｅは、足の第５中足骨ＭＴ５の後端部および立方骨ＣＢの外甲側に対応する位置に配置されている。なお、第１低トラクションスタッド２１ｇおよび２１ｆの配置については後述する。
【００４１】
次に、図２〜図４に示すように、アウトソール２の下面において、足の第２の基節骨ＰＰ２および中足骨ＭＴ２と第３ないし第５の趾骨および中足骨ＭＴ３〜ＭＴ５とを含む前足部Ｆの外甲側に位置する外甲側領域Ｘには、高および低トラクションスタッド１０ｆ，２０，…が外甲側領域Ｘで分散した状態で設けられている。ここで、趾骨とは、足の基節骨ＤＰ、中節骨ＩＰ、および末節骨ＰＰを含む足の骨の一部を指す総称である。
【００４２】
そして、外甲側領域Ｘに配置された高および低トラクションスタッド１０ｆ，２０，…の各々は、打撃動作のフォロースルー時に外甲側領域Ｘに生じる各剪断応力Ｓ（図６参照）の向きとなる応力方向に沿った方向の長さが応力方向と直交する方向の長さよりも長くなるように構成されている。なお、図６は野球の打撃動作に関する剪断応力分布図を示すものであり、打撃動作を行う際にソール構造１（アウトソール２）が地面との関係で、滑りを生じないために必要とされる剪断応力Ｓの作用する領域（図６の破線を参照）と、その剪断応力Ｓの向き（応力方向）とを表したものをいう。
【００４３】
図２および図３に示すように、外甲側領域Ｘには、アウトソール２の外甲側縁部の近傍に高トラクションスタッド１０ｆが配置されている。具体的に、図４に示すように、この高トラクションスタッド１０ｆは、足の第４ないし第５の基節骨ＰＰ４〜ＰＰ５に対応する位置に配置されている。
【００４４】
高トラクションスタッド１０ｆは、底面視で前方に向かって内甲側から外甲側に向かうように延びている。具体的に、図７に示すように、高トラクションスタッド１０ｆは、底面視で下面の外形となる長方形の長辺に対応する線分Ｌ１（図７に示す破線を参照）が図６に示す高トラクションスタッド１０ｆの位置に生じる剪断応力Ｓの向き（応力方向）に沿って長くなるように形成されている。例えば、図３および図７に示すように、高トラクションスタッド１０ｆは、底面視で足の踵部に対応する位置を回転中心点Ｏとしかつこの回転中心点Ｏと高トラクションスタッド１０ｆの下面の中心（長方形の中心）となる点Ｒ１との距離を半径とする仮想円弧Ａにおいて、線分Ｌ１が点Ｒ１の位置を中心点として反時計回りに仮想円弧Ａの接線ａに対し２４°傾いた方向に向かって延びるように構成されている。なお、図４に示すように、回転中心点Ｏは、底面視で踵骨ＨＬ（踵部）における前後方向および足幅方向の略中央に対応する位置にあるものとする。
【００４５】
また、第１低トラクションスタッド２１ｇ，２１ｆの各々は、外甲側領域Ｘ内において高トラクションスタッド１０ｆの前側および後側のそれぞれに配置されている。具体的に、図４に示すように、第１低トラクションスタッド２１ｇは、足の第３中節骨ＩＰ３に対応する位置に配置されている。また、第１低トラクションスタッド２１ｆは、足の第５中足骨ＭＴ５に対応する位置に配置されている。
【００４６】
第１低トラクションスタッド２１ｇは、前方に向かって内甲側から外甲側に向かうように延びている。具体的に、図７に示すように、第１低トラクションスタッド２１ｇは、底面視で下面の外形となる略二等辺三角形の底辺の垂直二等分線Ｌ２（図７に示す破線を参照）が図６に示す第１低トラクションスタッド２１ｇの位置に生じる剪断応力Ｓの向き（応力方向）に沿って長くなるように形成されている。例えば、図３および図７に示すように、第１低トラクションスタッド２１ｇは、回転中心点Ｏと第１低トラクションスタッド２１ｇの下面の外形となる略二等辺三角形の内心に対応する点Ｒ２との距離を半径とする仮想円弧Ｂにおいて、線分Ｌ２が点Ｒ２を中心点として反時計回りに仮想円弧Ｂの接線ｂに対し３０°傾いた方向に向かって延びるように構成されている。
【００４７】
第１低トラクションスタッド２１ｆは、後方に向かって内甲側から外甲側に向かうように延びている。具体的に、図７に示すように、第１低トラクションスタッド２１ｆは、底面視で下面の外形となる略二等辺三角形の底辺の垂直二等分線Ｌ３（図７に示す破線を参照）が図６に示す第１低トラクションスタッド２１ｆの位置に生じる剪断応力Ｓの向き（応力方向）に沿って長くなるように形成されている。例えば、図３および図７に示すように、第１低トラクションスタッド２１ｆは、回転中心点Ｏと第１低トラクションスタッド２１ｆの下面の外形となる略二等辺三角形の内心に対応する点Ｒ３との距離を半径とする仮想円弧Ｃにおいて、線分Ｌ３が点Ｒ３を中心点として反時計回りに仮想円弧Ｃの接線ｃに対し１０°傾いた方向に向かって延びるように構成されている。
【００４８】
さらに、図２および図３に示すように、外甲側領域Ｘにおいて、高トラクションスタッド１０ｆの内甲側には、高トラクションスタッド１０ｆと間隔をあけて配置された第２低トラクションスタッド２５が設けられている。第２低トラクションスタッド２５は、低トラクションスタッド２０の一部として構成されるものである。具体的に、図４に示すように、第２低トラクションスタッド２５は、足の第２ないし第３中足骨ＭＴ２〜ＭＴ３の前端部に対応する位置に配置されている。この第２低トラクションスタッド２５は、例えばアウトソール２と同素材からなり、アウトソール２の下面から下方に向かって突出するようにアウトソール２と一体に形成されている。また、第２低トラクションスタッド２５は、底面視で下面の外形が略長方形状に形成されている。
【００４９】
第２低トラクションスタッド２５は、高トラクションスタッド１０ｆと同様に、前方に向かって内甲側から外甲側に向かうように延びている。具体的に、図７に示すように、第２低トラクションスタッド２５は、底面視で下面の外形となる長方形の長辺に対応する線分Ｌ４（図７に示す破線を参照）が図６に示す第２低トラクションスタッド２５の位置に生じる剪断応力Ｓの向き（応力方向）に沿って長くなるように形成されている。例えば、図３および図７に示すように、第２低トラクションスタッド２５は、回転中心点Ｏと第２低トラクションスタッド２５の中心（長方形の中心）となる点Ｒ４との距離を半径とする仮想円弧Ｄにおいて、線分Ｌ４が点Ｒ４を中心点として反時計回りに仮想円弧Ｄの接線ｄに対し１３°傾いた方向に向かって延びるように構成されている。
【００５０】
ここで、外甲側領域Ｘに配置された高および低トラクションスタッド１０ｆ，２１ｆ，２１ｇ，２５の各々は、その向きが上述したような各角度に限定されるものではない。すなわち、高および低トラクションスタッド１０ｆ，２１ｆ，２１ｇ，２５の各々は、それぞれに対応する仮想円弧Ａ〜Ｄの接線ａ〜ｄのいずれかに対し、各スタッド下面の中心（すなわち重心）となる位置を中心点として反時計回りに０〜３０°の範囲で傾いた方向に向かって延びるように形成されているのが好ましい。この範囲内であれば、高および低トラクションスタッド１０ｆ，２１ｆ，２１ｇ，２５の各々を、応力分布図（図６参照）に示されるそれぞれの位置で生じる各剪断応力Ｓの向き（応力方向）に沿うように配置することが可能となる。
【００５１】
［実施形態の作用効果］
一般的に、野球の打撃動作において、例えば右打席に立った打者が左足を地面に踏み出してスイングしたバットにボールが当たった状態（いわゆるインパクト）から打者がそのままバットを振り抜くまでの動作（いわゆるフォロースルー）のときに、地面に踏み出した打者の左足（踏み出し足）における前足部Ｆの外甲側に対して大きな衝撃が生じることが様々の研究結果により明らかにされている。そして、このインパクト後に踏み出し足に伝わる上記衝撃が抑制されることにより、打者の踏み出し足の踵部を回転中心として足の外甲側に向かって回転する動作（回転動作）が阻害されず、打者がバットを十分に振り切ることが可能になる。
【００５２】
そして、本実施形態に係るソール構造１では、外甲側領域Ｘに配置された高および低トラクションスタッド１０ｆ，２０，…（１０ｆ，２１ｆ，２１ｇ，２５）の各々が打撃動作のフォロースルー時に外甲側領域Ｘに生じる各剪断応力Ｓの向きとなる応力方向に沿った方向の長さが応力方向と直交する方向の長さよりも長くなるように構成されている。言い換えると、本実施形態に係るソール構造１では、外甲側領域Ｘに配置された高および低トラクションスタッド１０ｆ，２０，…の各々の向きを、打撃動作のフォロースルー時に外甲側領域Ｘに生じる各剪断応力Ｓの向きに逆らわないようにするために、上記応力方向に沿うように構成したものである。このため、ソール構造１では、インパクト後に打者の踏み出し足が地面に必要以上に引っかからず、フォロースルー時に打者の踏み出し足の回転動作が阻害されないようになる。すなわち、ソール構造１では、打者の踏み出し足における前足部Ｆの外甲側に上記衝撃が生じにくいため、フォロースルー時に踏み出し足の回転動作がスムーズに行われる。その結果、打者がバットを十分に振り切ることが可能となる。さらに、高および低トラクションスタッド１０ｆ，２０，…からなる複数のスタッドが外甲側領域Ｘに配置されているため、外甲側領域Ｘにおいて所定のトラクション性が担保されている。したがって、本実施形態に係るソール構造１では、野球の打撃動作時に打者の足に対して最適なトラクションを発揮することができる。
【００５３】
また、外甲側領域Ｘ内の第１低トラクションスタッド２１ｇ，２１ｆの各々が高トラクションスタッド１０ｆの前側および後側のそれぞれに配置されているため、高トラクションスタッド１０ｆとともに外甲側領域Ｘの前後方向におけるトラクション性のバランスを保つことができる。
【００５４】
また、第１低トラクションスタッド２１ｆ，２１ｇは熱可塑性ポリウレタンからなるため、熱可塑性ポリウレタンが有する高い耐摩耗性により第１低トラクションスタッド２１ｆ，２１ｇの経年劣化を抑制することができる。
【００５５】
さらに、低トラクションスタッド２０は、高トラクションスタッド１０ｆの内甲側に高トラクションスタッド１０ｆと間隔をあけて配置された第２低トラクションスタッド２５を含むため、外甲側領域Ｘ内で高トラクションスタッド１０ｆとともに適度なトラクション性を発揮しつつ、外甲側領域Ｘの足幅方向で部分的に足が落ち込まないようにしてソール構造１における足裏面の偏りをなくすことができる。
【００５６】
［その他の実施形態］
上記実施形態に係るソール構造１では、第１低トラクションスタッド２１ａ〜２１ｇの各々が熱可塑性ポリウレタンからなる形態を示したが、この形態に限られない。例えば、第１低トラクションスタッド２１ａ〜２１ｇの各々が耐摩耗性を有する合成ゴム、天然ゴム等からなる形態であってもよい。あるいは、第１低トラクションスタッド２１ａ〜２１ｇの各々がアウトソール２との一体成形によりアウトソール２と同じ材料（すなわちポリアミド系樹脂）からなる形態であってもよい。このような一体成形による形態では、ポリアミド系樹脂が上記実施形態で示した熱可塑性ポリウレタンよりも耐磨耗性が低下することにより第１低トラクションスタッド２１ａ〜２１ｇの各々の耐摩耗性が低下する反面、アウトソール２と第１低トラクションスタッド２１ａ〜２１ｇの各々との一体成形によりソール構造１の生産性が向上しかつ軽量化が可能となる。
【００５７】
また、上記実施形態に係るソール構造１において、外甲側領域Ｘに配置された高トラクションスタッド１０ｆ、第１低トラクションスタッド２１ｆ，２１ｇ、および第２低トラクションスタッド２５の各々は、上記実施形態に示された形状に限定されない。すなわち、外甲側領域Ｘに配置された高および低トラクションスタッド１０ｆ，２０，…の各々は、打撃動作のフォロースルー時に外甲側領域Ｘに生じる各剪断応力Ｓの向きとなる応力方向に沿った方向の長さが応力方向と直交する方向の長さよりも長くなるような形状になっていればよい。
【００５８】
また、上記実施形態に係るソール構造１では、外甲側領域Ｘにおいて、高トラクションスタッド１０ｆを足の第４ないし第５の基節骨ＰＰ４〜ＰＰ５に対応する位置に配置した形態を示したが、この形態に限られない。すなわち、高トラクションスタッド１０ｆは、外甲側領域Ｘ内のどの位置に配置されていてもよい。
【００５９】
さらに、上記実施形態に係るソール構造１では、第１低トラクションスタッド２１ｆ、２１ｇおよび第２低トラクションスタッド２５を、外甲側領域Ｘ内において高トラクションスタッド１０ｆの周囲に配設した形態を示したが、この形態に限らない。例えば、第１低トラクションスタッド２１ｆ、２１ｇのいずれか一方のみを、高トラクションスタッド１０の周囲に配置した形態であってもよい。あるいは、第２低トラクションスタッド２５のみを、高トラクションスタッド１０ｆの周囲に配設した形態であってもよい。要は、少なくとも１つの低トラクションスタッド２０を、外甲側領域Ｘ内において高トラクションスタッド１０ｆの周囲に配置した形態であればよい。
【００６０】
以上、本発明についての実施形態を説明したが、本発明は上述の実施形態のみに限定されず、発明の範囲内で種々の変更が可能である。
【産業上の利用可能性】
【００６１】
本発明は、野球の打撃動作に適した野球用スパイクシューズのソール構造およびそれを用いた野球用スパイクシューズとして産業上の利用が可能である。
【符号の説明】
【００６２】
１：ソール構造
２：アウトソール
４：ミッドソール
１０ａ〜１０ｆ：高トラクションスタッド
２０：低トラクションスタッド
２１ａ〜２１ｇ：第１低トラクションスタッド
２５：第２低トラクションスタッド
Ｆ：前足部
Ｍ：中足部
Ｈ：後足部
Ｘ：外甲側領域
ＤＰ：末節骨
ＩＰ：中節骨
ＰＰ：基節骨
ＭＴ：中足骨
ＮＢ：舟状骨
ＣＢ：立方骨
ＨＬ：踵骨
Ｓ：剪断応力
【図１】
2018068944.tif 000003
【図２】
2018068944.tif 000004
【図３】
2018068944.tif 000005
【図４】
2018068944.tif 000006
【図５】
2018068944.tif 000007
【図６】
2018068944.tif 000008
【図７】
2018068944.tif 000009